(57)【特許請求の範囲】
【請求項１】
電気かみそりのスリット刃ブロックであって、
前記スリット刃ブロックは、複数の外刃片を有するスリット外刃と、複数の内刃片を有するスリット内刃と、前記複数の外刃片に隣り合うように前記スリット外刃の外側に設けられた複数のコームを有するコーム部品とを含み、前記スリット外刃内に収容された前記スリット内刃の運動により毛を切断できるように構成され、
前記複数のコームは、前記スリット外刃の短手方向の一方側において前記スリット外刃から離間する方向に突出した突起部を含む第１のコーム、および、前記スリット外刃の短手方向の他方側において前記スリット外刃から離間する方向に突出した突起部を含む第２のコームを含み、
前記第１のコームの突起部と前記第２のコームの突起部とは互いに反対方向に突出し、
前記内刃片側から前記外刃片側に向かう先端方向、および、前記外刃片側から前記内刃片側に向かう基端方向により規定される高さ方向において、前記先端方向における前記突起部の端面である先端面は、前記先端方向における前記外刃片の端面である先端面と前記基端方向における前記外刃片の端面である基端面との間に位置し、
前記高さ方向における前記突起部の頂部と前記突起部の先端面との間の寸法は、前記高さ方向における前記外刃片の先端面と前記外刃片の基端面との間の寸法以下である
スリット刃ブロック。
【請求項２】
請求項１に記載のスリット刃ブロックを備える電気かみそり。
【発明の詳細な説明】
【技術分野】
【０００１】
本発明は、スリット刃ブロック、および、これを備える電気かみそりに関する。
【背景技術】
【０００２】
図１２は、従来のスリット刃ブロック３００の断面図である。スリット刃ブロック３００は、スリット外刃３１０、スリット内刃３２０、およびコーム部品３３０を有する。スリット外刃３１０は、複数の外刃片３１１を有する。スリット内刃３２０は、スリット外刃３１０に収容された状態でスリット外刃３１０に対して往復運動する。スリット内刃３２０は、複数の内刃片３２１を有する。コーム部品３３０は、スリット外刃３１０およびスリット内刃３２０を収容している。コーム部品３３０は、複数のコーム３３１を有する。なお、特許文献１は、従来のスリット刃ブロックの一例を示している。
【先行技術文献】
【特許文献】
【０００３】
【特許文献１】特表２００２−５１５３１５号公報
【発明の概要】
【発明が解決しようとする課題】
【０００４】
スリット刃ブロック３００においては、コーム３３１の頂部３３２がスリット内刃３２０よりもスリット外刃３１０とは反対側に位置している。このため、スリット刃ブロック３００を有する電気かみそりの使用時において、コーム３３１の頂部３３２は、使用者の肌ＳＫとの距離が大きくなる。このため、コーム３３１が肌ＳＫに対して倒れた長髭（毛）をすくい上げることが困難となる。このように、スリット刃ブロック３００は、長髭（毛）を短く切除することに関して改善の余地がある。
【０００５】
本発明の目的は、長髭をより短く切除できるスリット刃ブロック、および、これを備える電気かみそりを提供することである。
【課題を解決するための手段】
【０００６】
本発明に関するスリット刃ブロックは、複数の外刃片を有するスリット外刃と、複数の内刃片を有するスリット内刃と、前記複数の外刃片に隣り合うように前記スリット外刃の外側に設けられた複数のコームを有するコーム部品とを含み、前記スリット外刃内に収容された前記スリット内刃の運動により毛を切断できるように構成され、前記複数のコームは、前記スリット外刃の短手方向の一方側において前記スリット外刃から離間する方向に突出した突起部を含む第１のコーム、および、前記スリット外刃の短手方向の他方側において前記スリット外刃から離間する方向に突出した突起部を含む第２のコームを含み、前記第１のコームの突起部と前記第２のコームの突起部とは互いに反対方向に突出し、前記内刃片側から前記外刃片側に向かう先端方向、および、前記外刃片側から前記内刃片側に向かう基端方向により規定される高さ方向において、前記先端方向における前記突起部の端面である先端面は、前記先端方向における前記外刃片の端面である先端面と前記基端方向における前記外刃片の端面である基端面との間に位置し、前記高さ方向における前記突起部の頂部と前記突起部の先端面との間の寸法は、前記高さ方向における前記外刃片の先端面と前記外刃片の基端面との間の寸法以下である。
【発明の効果】
【０００７】
本スリット刃ブロックおよび本電気かみそりは、長髭をより短く切除できる。
【図面の簡単な説明】
【０００８】
【図１】実施形態の電気かみそりの分解斜視図。
【図２】図１のスリット刃ブロックの分解斜視図。
【図３】図２のコーム部品の平面図。
【図４】(ａ)図３のＺ３−Ｚ３線の断面図、(ｂ)図４のＺ４−Ｚ４線の断面図。
【図５】図２のスリット刃ブロックの正面図。
【図６】(ａ)図２のスリット刃ブロックの平面図、(ｂ)コーム等の拡大図。
【図７】(ａ)図６のＺ６Ａ−Ｚ６Ａ線の断面図、(ｂ)拡大図、(ｃ)拡大図。
【図８】図６のＺ６Ｂ−Ｚ６Ｂ線の断面図。
【図９】図２のコームと長髭との関係を示す斜視図。
【図１０】図２のコームと肌および長髭との関係を示す断面図。
【図１１】比較例のコームと肌および長髭との関係を示す断面図。
【図１２】従来のスリット刃ブロックの一部分の断面図。
【発明を実施するための形態】
【０００９】
（スリット刃ブロックが取り得る形態の一例）
本発明に関するスリット刃ブロックは、複数の外刃片を有するスリット外刃と、複数の内刃片を有するスリット内刃と、前記複数の外刃片に隣り合うように前記スリット外刃の外側に設けられた複数のコームを有するコーム部品とを含み、前記スリット外刃内に収容された前記スリット内刃の運動により毛を切断できるように構成され、前記複数のコームは、前記スリット外刃の短手方向の一方側において前記スリット外刃から離間する方向に突出した突起部を含む第１のコーム、および、前記スリット外刃の短手方向の他方側において前記スリット外刃から離間する方向に突出した突起部を含む第２のコームを含み、前記第１のコームの突起部と前記第２のコームの突起部とは互いに反対方向に突出し、前記内刃片側から前記外刃片側に向かう先端方向、および、前記外刃片側から前記内刃片側に向かう基端方向により規定される高さ方向において、前記先端方向における前記突起部の端面である先端面は、前記先端方向における前記外刃片の端面である先端面と前記基端方向における前記外刃片の端面である基端面との間に位置し、前記高さ方向における前記突起部の頂部と前記突起部の先端面との間の寸法は、前記高さ方向における前記外刃片の先端面と前記外刃片の基端面との間の寸法以下である。
【００１０】
上記スリット刃ブロックによれば、コームの突起部の頂部が肌に近づけられるため、肌に対して倒れた状態の長髭がコームにより立ち上げられやすくなる。このため、長髭を短く切除できる。
【００１１】
（実施形態）
図１を参照して、電気かみそり１の構成について説明する。
電気かみそり１は、かみそり本体１０および刃ユニット２０を有する。
【００１２】
かみそり本体１０は、グリップ部１１、ヘッド部１２、駆動部１３、電源スイッチ１４、およびヘッドカバー１５を有する。ヘッド部１２は、グリップ部１１に結合されている。駆動部１３は、グリップ部１１およびヘッド部１２に収容されている。駆動部１３の一部は、ヘッド部１２から外部に突出している。駆動部１３は、刃ユニット２０を往復運動させる。電源スイッチ１４は、グリップ部１１に位置している。ヘッドカバー１５は、ヘッド部１２に取り付けられている。
【００１３】
刃ユニット２０は、外周部分においてヘッドカバー１５により覆われている。刃ユニット２０は、２個の第１刃ブロック２１、２個の第２刃ブロック２４、スリット刃ブロック３０、および外刃ケース２７を有する。２個の第１刃ブロック２１は、スリット刃ブロック３０の両側に位置している。２個の第２刃ブロック２４は、第１刃ブロック２１に対してスリット刃ブロック３０とは反対側に位置している。外刃ケース２７は、各第１刃ブロック２１、各第２刃ブロック２４、およびスリット刃ブロック３０を保持する。外刃ケース２７は、ヘッド部１２に取り付けられている。
【００１４】
第１刃ブロック２１は、第１ネット刃２２および第１内刃２３を有する。第１内刃２３は、第１ネット刃２２に収容されている。第１内刃２３は、駆動部１３により第１ネット刃２２に対して往復運動する。
【００１５】
第２刃ブロック２４は、第２ネット刃２５および第２内刃２６を有する。第２内刃２６は、第２ネット刃２５に収容されている。第２内刃２６は、駆動部１３により第２ネット刃２５に対して往復運動する。このように、電気かみそり１は、各内刃２３，２６を各ネット刃２２，２５に対して往復運動させる往復動式電気かみそりの形態を有する。
【００１６】
刃ユニット２０の機能について説明する。
第１刃ブロック２１は、主に倒れた状態の髭を切除する機能を有する。第２刃ブロック２４は、主に短く立った状態の髭を切除する機能を有する。スリット刃ブロック３０は、主に細い長髭を切除する機能を有する。
【００１７】
図２を参照して、スリット刃ブロック３０の詳細な構成について説明する。
スリット刃ブロック３０に関する方向として、「幅方向ＺＡ」、「内幅方向ＺＡ１」、「外幅方向ＺＡ２」、「奥行方向ＺＢ」、「奥行内方向ＺＢ１」、「奥行外方向ＺＢ２」、「高さ方向ＺＣ」、「先端方向ＺＣ１」、および「基端方向ＺＣ２」が次のように定義される。なお、幅方向ＺＡは「配列方向」に相当する。
【００１８】
「幅方向ＺＡ」は、スリット刃ブロック３０の正面視における長手方向の双方向を示す。「内幅方向ＺＡ１」は、幅方向ＺＡにおいて幅方向ＺＡの中心に接近する方向を示す。「外幅方向ＺＡ２」は、幅方向ＺＡにおいて幅方向ＺＡの中心から離間する方向を示す。
【００１９】
「高さ方向ＺＣ」は、スリット刃ブロック３０の正面視において幅方向ＺＡと直交する双方向を示す。「先端方向ＺＣ１」は、高さ方向ＺＣにおいてかみそり本体１０側から刃ユニット２０側（ともに図１参照）に向かう方向を示す。「基端方向ＺＣ２」は、高さ方向ＺＣにおいて刃ユニット２０側からかみそり本体１０側に向かう方向を示す。
【００２０】
「奥行方向ＺＢ」は、幅方向ＺＡおよび高さ方向ＺＣと直交する双方向を示す。「奥行内方向ＺＢ１」は、奥行方向ＺＢにおいて奥行方向ＺＢの中心に接近する方向を示す。「奥行外方向ＺＢ２」は、奥行方向ＺＢにおいて奥行方向ＺＢの中心から離間する方向を示す。
【００２１】
スリット刃ブロック３０は、スリット外刃４０、コーム部品６０、２個の外刃継手９０、スリット内刃１００、内刃継手１１０、および２個のコイルばね３１を有する。スリット刃ブロック３０は内刃継手１１０において駆動部１３（図１参照）に接続されている。
【００２２】
スリット外刃４０は、金属材料により形成されている。スリット外刃４０は、例えばプレス加工により成形することができる。スリット外刃４０は、正面視において幅方向ＺＡの中央位置に向かうにつれて先端方向ＺＣ１に緩やかに湾曲する湾曲形状を有する。スリット外刃４０は、側面視において基端方向ＺＣ２に開口するＵ字形状を有する。スリット外刃４０は、複数の外刃片４１、複数のスリット孔４２、２個の連結部４３、および２個のスリット本体部５０を有する。スリット外刃４０は、同一の材料により複数の外刃片４１、２個の連結部４３、および２個のスリット本体部５０が一体に形成された構成を有する。
【００２３】
コーム部品６０は、スリット外刃４０とは個別に形成されている。コーム部品６０は、樹脂材料により形成されている。コーム部品６０は、例えば射出成形により成形することができる。コーム部品６０は、平面視において枠形状を有する。コーム部品６０は、正面視において幅方向ＺＡの中央位置に向かうにつれて先端方向ＺＣ１に緩やかに湾曲する湾曲形状を有する。コーム部品６０の剛性は、スリット外刃４０の剛性よりも低い。コーム部品６０は、２個のコーム支持壁７０および２個のコーム端壁８０を有する。コーム部品６０は、同一の材料により２個のコーム支持壁７０および２個のコーム端壁８０が一体に形成された構成を有する。
【００２４】
外刃継手９０は、樹脂材料により形成されている。外刃継手９０は、例えば射出成形により成形することができる。外刃継手９０は、幅方向ＺＡにおいて互いに離間している。外刃継手９０は、継手本体９１、載置部９２、突起部９３、収容穴９４、４個の第１溶着部９５、４個の第２溶着部９６、およびばね取付部９７を有する。外刃継手９０は、同一材料により継手本体９１、載置部９２、突起部９３、４個の第１溶着部９５、４個の第２溶着部９６、およびばね取付部９７が一体に形成された構成を有する。
【００２５】
スリット内刃１００は、金属材料により形成されている。スリット内刃１００は、例えばプレス加工により成形することができる。スリット内刃１００は、２個のスリット本体部１０１、複数の内刃片１０２、および複数のスリット孔１０３を有する。スリット内刃１００は、同一の材料により２個のスリット本体部１０１および複数の内刃片１０２が一体に形成された構成を有する。
【００２６】
各スリット本体部１０１は、２個の位置決め部１０４および２個の溶着固定部１０５を有する。一方のスリット本体部１０１および他方のスリット本体部１０１は、複数の内刃片１０２により互いに接続されている。位置決め部１０４は、基端方向ＺＣ２に開口する凹形状を有する。位置決め部１０４は、スリット本体部１０１の外幅方向ＺＡ２の部分に位置している。溶着固定部１０５は、幅方向ＺＡに互いに離間する一対の腕部を有する。腕部は、基端方向ＺＣ２に延びている。溶着固定部１０５は、スリット本体部１０１において位置決め部１０４よりも内幅方向ＺＡ１の部分に位置している。
【００２７】
内刃片１０２は、基端方向ＺＣ２が開口するＵ字形状を有する。複数の内刃片１０２は、幅方向ＺＡにおいて空隙を介して位置している。スリット孔１０３は、幅方向ＺＡに隣り合う内刃片１０２の間の空隙として形成されている。
【００２８】
内刃継手１１０は、樹脂材料により形成されている。内刃継手１１０は、例えば射出成形により成形することができる。内刃継手１１０は、継手本体１１１、駆動嵌合部１１２、４個の位置決め部１１３、４個の溶着部１１４、および２個のばね取付部１１５を有する。内刃継手１１０は、同一の材料により継手本体１１１、駆動嵌合部１１２、４個の位置決め部１１３、４個の溶着部１１４、および２個のばね取付部１１５が一体に形成された構成を有する。
【００２９】
駆動嵌合部１１２は、継手本体１１１の幅方向ＺＡの中央位置において継手本体１１１を先端方向ＺＣ１に凹む凹形状を有する。駆動嵌合部１１２は、駆動部１３（図１参照）が嵌め合わせられる。位置決め部１１３は、継手本体１１１の外幅方向ＺＡ２の部分において奥行外方向ＺＢ２に突出している。溶着部１１４は、継手本体１１１の内幅方向ＺＡ１の部分において奥行外方向ＺＢ２に突出している。ばね取付部１１５は、継手本体１１１の外幅方向ＺＡ２の端部において基端方向ＺＣ２に突出している。
【００３０】
図２を参照して、スリット外刃４０の詳細な構成について説明する。
外刃片４１は、側面視において基端方向ＺＣ２に開口するＵ字形状を有する。複数の外刃片４１は、幅方向ＺＡにおいて２個の連結部４３の間に配列されている。複数の外刃片４１は、幅方向ＺＡにおいて空隙を介して位置している。
【００３１】
スリット孔４２は、幅方向ＺＡに隣り合う外刃片４１の間の空隙として形成されている。スリット孔４２は、スリット外刃４０を奥行方向ＺＢに貫通する空間を有する。スリット孔４２は、長髭（毛）をスリット外刃４０内に導入する機能を有する。
【００３２】
連結部４３は、平面視において平板形状を有する。連結部４３は、内幅方向ＺＡ１に向かうにつれて先端方向ＺＣ１に緩やかに傾斜している。連結部４３は、スリット外刃４０の幅方向ＺＡの両端部に位置している。
【００３３】
各スリット本体部５０は、幅方向ＺＡおよび高さ方向ＺＣに平行する壁部により形成されている。各スリット本体部５０は、４個の第１爪片５１、１個の第２爪片５２、４個の嵌合部５３、２個の第１溶着固定部５４、および２個の第２溶着固定部５５を有する。一方のスリット本体部５０および他方のスリット本体部５０は、複数の外刃片４１および２個の連結部４３により互いに接続されている。
【００３４】
第１溶着固定部５４は、スリット本体部５０の幅方向ＺＡの端部に位置している。第２溶着固定部５５は、スリット本体部５０において第１溶着固定部５４よりも内幅方向ＺＡ１の部分に位置している。
【００３５】
第１爪片５１は、基端方向ＺＣ２に向かうにつれて幅方向ＺＡの寸法が小さくなるテーパ形状を有する。第１爪片５１の基端方向ＺＣ２の端部は、正面視において曲面形状を有する。第１爪片５１は、幅方向ＺＡにおいて互いに離間している。外幅方向ＺＡ２の２個の第１爪片５１は、スリット本体部５０において第１溶着固定部５４および第２溶着固定部５５の幅方向ＺＡの間の部分に位置している。内幅方向ＺＡ１の２個の第１爪片５１は、スリット本体部５０において第２溶着固定部５５よりも内幅方向ＺＡ１の部分に位置している。
【００３６】
第２爪片５２は、基端方向ＺＣ２に向かうにつれて幅方向ＺＡの寸法が小さくなるテーパ形状を有する。第２爪片５２の基端方向ＺＣ２の端部は、正面視において曲面形状を有する。第２爪片５２は、スリット本体部５０の幅方向ＺＡの中央部分に位置している。第２爪片５２の高さ方向ＺＣの寸法は、第１爪片５１の高さ方向ＺＣの寸法よりも小さい。
【００３７】
嵌合部５３は、幅方向ＺＡにおいて互いに離間している。外幅方向ＺＡ２の２個の嵌合部５３は、第２溶着固定部５５の外幅方向ＺＡ２に隣接している。内幅方向ＺＡ１の２個の嵌合部５３は、スリット本体部５０において内幅方向ＺＡ１の第１爪片５１と第２爪片５２との幅方向ＺＡの間の部分に位置している。嵌合部５３は、スリット本体部５０を奥行方向ＺＢに貫通する貫通孔５３Ａを有する。
【００３８】
図２を参照して、外刃継手９０の詳細な構成について説明する。
載置部９２は、幅方向ＺＡおよび奥行方向ＺＢに平行する平板形状を有する。載置部９２は、平面視においてＴ字形状を有する。載置部９２は、継手本体９１の外幅方向ＺＡ２の端部かつ継手本体９１の先端方向ＺＣ１の端部に位置している。載置部９２は、外方部９２Ａおよび内方部９２Ｂを有する。外方部９２Ａは、内方部９２Ｂから外幅方向ＺＡ２に連続して形成されている。外方部９２Ａの先端方向ＺＣ１側の面および内方部９２Ｂの先端方向ＺＣ１側の面は、面一として形成されている。外方部９２Ａの奥行方向ＺＢの寸法は、内方部９２Ｂの奥行方向ＺＢの寸法よりも大きい。
【００３９】
突起部９３は、平面視において幅方向ＺＡの寸法よりも奥行方向ＺＢの寸法が大きい長方形状を有する。突起部９３は、載置部９２の外方部９２Ａから先端方向ＺＣ１に突出している。
【００４０】
収容穴９４は、載置部９２の内方部９２Ｂに形成されている。収容穴９４は、幅方向ＺＡにおいて突起部９３に隣り合っている。収容穴９４は、内方部９２Ｂの先端方向ＺＣ１側の面から基端方向ＺＣ２に凹む形状を有する。
【００４１】
第１溶着部９５は、円筒形状を有する。第１溶着部９５は、継手本体９１の外幅方向ＺＡ２の部分に位置している。第１溶着部９５は、継手本体９１の奥行方向ＺＢの面から奥行外方向ＺＢ２に突出している。
【００４２】
第２溶着部９６は、円筒形状を有する。第２溶着部９６は、継手本体９１の内幅方向ＺＡ１の端部に位置している。第２溶着部９６は、継手本体９１の奥行方向ＺＢの面から奥行外方向ＺＢ２に突出している。
【００４３】
ばね取付部９７は、継手本体９１において第１溶着部９５および第２溶着部９６の幅方向ＺＡの間の部分に位置している。ばね取付部９７は、略円錐形状の突起部を有する。突起部は、継手本体９１から先端方向ＺＣ１に突出している。
【００４４】
図３および図４を参照して、コーム部品６０の詳細な構成について説明する。
図３に示されるように、コーム部品６０は、コーム支持壁７０の幅方向ＺＡの端部を奥行方向ＺＢに結ぶ距離Ｄ１が２個のコーム支持壁７０の幅方向ＺＡの中央部を奥行方向ＺＢに結ぶ距離Ｄ２よりも大きい形状を有する。
【００４５】
各コーム支持壁７０は、支持壁本体７１、複数のコーム７２、複数のスリット孔７３、４個の第１収容部７４、１個の第２収容部７５、４個の位置決め部７６、および２個の段差部７７を有する。各コーム支持壁７０は、同一の材料により支持壁本体７１、複数のコーム７２、４個の第１収容部７４、１個の第２収容部７５、および４個の位置決め部７６が一体に形成された構成を有する。
【００４６】
支持壁本体７１は、幅方向ＺＡおよび奥行方向ＺＢに平行している。支持壁本体７１は、正面視において幅方向ＺＡの中心に向かうにつれて先端方向ＺＣ１に緩やかに湾曲する湾曲形状を有する。
【００４７】
複数のコーム７２は、櫛形状を構成している。コーム７２は、支持壁本体７１において先端方向ＺＣ１の端部に位置している。コーム７２は、幅方向ＺＡにおいて空隙を介して互いに離間している。
【００４８】
図４（ｂ）に示されるように、コーム７２は、支持部７２Ａおよび突起部７２Ｂを有する。コーム７２は、同一の材料により支持部７２Ａおよび突起部７２Ｂが一体に形成された構成を有する。支持部７２Ａは、高さ方向ＺＣに延びる柱状に形成されている。突起部７２Ｂは、コーム７２の幅方向ＺＡからの側面視において曲面形状を有する。突起部７２Ｂは、支持部７２Ａの先端方向ＺＣ１の端部から連続している。突起部７２Ｂは、支持部７２Ａから奥行外方向ＺＢ２に突出している。
【００４９】
図４（ａ）に示されるように、スリット孔７３は、幅方向ＺＡにおいて隣り合うコーム７２の間の空隙として形成されている。スリット孔７３は、スリット外刃４０のスリット孔４２（ともに図２参照）に長髭（毛）を導入する機能を有する。
【００５０】
図３に示されるように、第１収容部７４は、幅方向ＺＡにおいて互いに離間している。外幅方向ＺＡ２の第１収容部７４は、複数のコーム７２の幅方向ＺＡの端部に位置している。第１収容部７４は、支持壁本体７１から奥行内方向ＺＢ１に突出している。第１収容部７４は、第１収容部７４を高さ方向ＺＣに貫通する貫通孔７４Ａを有する。
【００５１】
第２収容部７５は、支持壁本体７１の幅方向ＺＡの中央部に位置している。第２収容部７５は、支持壁本体７１から奥行内方向ＺＢ１に突出している。第２収容部７５は、第２収容部７５を高さ方向ＺＣに貫通する貫通孔７５Ａを有する。第２収容部７５の幅方向ＺＡの寸法は、第１収容部７４の幅方向ＺＡの寸法よりも大きい。
【００５２】
段差部７７は、コーム支持壁７０の幅方向ＺＡの両端部に形成されている。段差部７７は、コーム端壁８０に隣接している。段差部７７は、コーム支持壁７０の奥行内方向ＺＢ１側の面が奥行外方向ＺＢ２に凹んだ形状を有する。
【００５３】
位置決め部７６は、幅方向ＺＡにおいて互いに離間している。外幅方向ＺＡ２の位置決め部７６は、支持壁本体７１において外幅方向ＺＡ２の第１収容部７４に対して内幅方向ＺＡ１側に隣り合う部分に位置している。内幅方向ＺＡ１の位置決め部７６は、支持壁本体７１において内幅方向ＺＡ１の第１収容部７４および第２収容部７５の幅方向ＺＡの間の部分に位置している。位置決め部７６は、支持壁本体７１から奥行内方向ＺＢ１に突出する突起片として形成されている。
【００５４】
図４（ｂ）に示されるように、位置決め部７６は、傾斜面７６Ａおよび規制面７６Ｂを有する。傾斜面７６Ａは、基端方向ＺＣ２に向かうにつれて奥行内方向ＺＢ１に傾斜する形状を有する。規制面７６Ｂは、位置決め部７６の基端方向ＺＣ２の端面として形成されている。規制面７６Ｂは、幅方向ＺＡおよび奥行方向ＺＢに平行する平面形状を有する。
【００５５】
図４（ａ）に示されるように、コーム端壁８０は、端壁本体８１、収容部８２、突起部８３を有する。コーム端壁８０は、同一の材料により端壁本体８１および突起部８３が一体に形成された構成を有する。コーム端壁８０は、端壁本体８１の奥行方向ＺＢの端部において支持壁本体７１の幅方向ＺＡの端部に接続されている。
【００５６】
端壁本体８１は、正面視において外幅方向ＺＡ２に向かうにつれて基端方向ＺＣ２に向かい湾曲する湾曲形状を有する。端壁本体８１の先端方向ＺＣ１の端部は、支持壁本体７１よりも先端方向ＺＣ１の先端方向の端部よりも先端方向ＺＣ１に位置している。
【００５７】
収容部８２は、端壁本体８１の基端方向ＺＣ２の端面から先端方向ＺＣ１に凹む凹形状を有する。
突起部８３は、幅方向ＺＡおよび奥行方向ＺＢに平行する平板形状を有する。突起部８３は、平面視において四角形状を有する（図３参照）。突起部８３は、端壁本体８１の内幅方向ＺＡ１の端面から内幅方向ＺＡ１に突出している。突起部８３は、奥行方向ＺＢにおいてコーム支持壁７０の段差部７７（図３参照）と対向している。突起部８３の基端方向ＺＣ２の端面においては、射出成形の金型において金型内に成形材料を流し込むためのゲートが位置する。
【００５８】
図５〜図６を参照して、組立後のスリット刃ブロック３０の構成について説明する。
図５に示されるように、スリット刃ブロック３０は、スリット外刃４０、コーム部品６０、外刃継手９０、スリット内刃１００、内刃継手１１０、およびコイルばね３１が互いに結合された構成を有する。
【００５９】
この状態において、スリット外刃４０の各溶着固定部５４，５５および外刃継手９０の各溶着部９５，９６がコーム支持壁７０の支持壁本体７１の基端方向ＺＣ２の端面（以下、「基端面７１Ａ」）よりも基端方向ＺＣ２に突出している。また、スリット内刃１００の溶着固定部１０５および内刃継手１１０の溶着部１１４が支持壁本体７１の基端面７１Ａよりも基端方向ＺＣ２に突出している。
【００６０】
外刃継手９０は、第１溶着部９５においてスリット外刃４０の第１溶着固定部５４内に位置している。外刃継手９０は、ヒートシール加工により第１溶着部９５が第１溶着固定部５４に溶着されている。外刃継手９０は、第２溶着部９６においてスリット外刃４０の第２溶着固定部５５内に位置している。外刃継手９０は、ヒートシール加工により第２溶着部９６が第２溶着固定部５５に溶着されている。
【００６１】
内刃継手１１０は、スリット内刃１００の２個のスリット本体部１０１の奥行方向ＺＢの間に収容されている。内刃継手１１０は、位置決め部１１３（図２参照）がスリット内刃１００の位置決め部１０４（図２参照）に接触することによりスリット内刃１００に対する位置が決定されている。内刃継手１１０は、ヒートシール加工により溶着部１１４が溶着固定部１０５に溶着されている。
【００６２】
スリット内刃１００は、スリット外刃４０の奥行内方向ＺＢ１内に収容されている。複数の内刃片１０２は、複数の外刃片４１と幅方向ＺＡおよび奥行方向ＺＢにおいて同じ箇所に位置している。複数の内刃片１０２は、複数の外刃片４１よりも基端方向ＺＣ２に位置している。この構成により、先端方向ＺＣ１は、内刃片１０２側から外刃片４１側に向かう方向に一致する。基端方向ＺＣ２は、外刃片４１側から内刃片１０２側に向かう方向に一致する。
【００６３】
スリット刃ブロック３０は、コイルばね３１により内刃継手１１０と外刃継手９０が互いに連結された構成を有する。コイルばね３１の先端方向ＺＣ１の端部は、内刃継手１１０のばね取付部１１５に取り付けられている。コイルばね３１の基端方向ＺＣ２の端部は、外刃継手９０のばね取付部９７に取り付けられている。コイルばね３１は、内刃継手１１０および外刃継手９０により圧縮された状態が維持されている。
【００６４】
図６（ａ）に示されるように、コーム部品６０は、スリット外刃４０を取り囲んでいる。コーム７２は、奥行方向ＺＢにおいてスリット外刃４０の外刃片４１に隣り合っている。コーム７２の配列ピッチは、外刃片４１の配列ピッチと等しい。コーム７２の幅方向ＺＡの位置は、外刃片４１の奥行方向ＺＢの部分における幅方向ＺＡの位置と同じとなる。このため、コーム部品６０のスリット孔７３は、スリット外刃４０のスリット孔４２と連通している。
【００６５】
コーム支持壁７０は、幅方向ＺＡの全体にわたりスリット外刃４０のスリット本体部５０（図２参照）と奥行方向ＺＢに対向している。コーム支持壁７０は、段差部７７においてスリット外刃４０のスリット本体部５０の奥行外方向ＺＢ２の面と空隙を介して対向している。
【００６６】
図６（ｂ）に示されるように、スリット刃ブロック３０の平面視において、コーム７２の幅方向ＺＡの寸法ＨＡ１は、外刃片４１における奥行外方向ＺＢ２の部分の幅方向ＺＡの寸法ＨＢ１と等しい。このため、スリット刃ブロック３０の平面視において、コーム部品６０のスリット孔７３の幅方向ＺＡの寸法ＨＡ２は、スリット外刃４０における奥行外方向ＺＢ２の部分のスリット孔４２の幅方向ＺＡの寸法ＨＢ２と等しい。
【００６７】
また、スリット刃ブロック３０の平面視において、外刃片４１における奥行方向ＺＢの中央部分の幅方向ＺＡの寸法ＨＢ３は、コーム７２の幅方向ＺＡの寸法ＨＡ１よりも大きい。このため、スリット刃ブロック３０の平面視において、スリット外刃４０における奥行方向ＺＢの中央部分のスリット孔４２の幅方向ＺＡの寸法ＨＢ４は、スリット孔７３の幅方向ＺＡの寸法ＨＡ２よりも小さい。
【００６８】
図７（ａ）に示されるように、スリット外刃４０は、連結部４３においてコーム端壁８０の突起部８３の先端方向ＺＣ１の端面に載置されている。コーム部品６０は、コーム端壁８０の端壁本体８１の基端方向ＺＣ２の端面において外刃継手９０の載置部９２の先端方向ＺＣ１の面に接触している。コーム部品６０は、コーム端壁８０の突起部８３の基端方向ＺＣ２の端面において載置部９２の先端方向ＺＣ１の面に接触している。このとき、収容穴９４は、突起部８３の基端方向ＺＣ２の端面に形成された金型を離型するときのゲートとの切断部分を収容している。
【００６９】
スリット外刃４０の連結部４３の幅方向ＺＡの端面は、コーム部品６０のコーム端壁８０の幅方向ＺＡの内面と幅方向ＺＡに微小な間隙を介して対向している。コーム部品６０は、収容部８２において外刃継手９０の突起部９３を収容している。
【００７０】
このように、コーム部品６０は、突起部８３においてスリット外刃４０および外刃継手９０により高さ方向ＺＣおよび幅方向ＺＡに挟み込まれている。このため、コーム部品６０は、スリット外刃４０および外刃継手９０に対する高さ方向ＺＣおよび幅方向ＺＡの移動が規制される。
【００７１】
図７（ｂ）に示されるように、スリット外刃４０は、第１爪片５１において第１収容部７４の貫通孔７４Ａに挿入されている。図７（ｃ）に示されるように、スリット外刃４０は、第２爪片５２において第２収容部７５の貫通孔７５Ａに挿入されている。
【００７２】
図７（ａ）に示されるように、スリット外刃４０は、嵌合部５３において位置決め部７６に嵌め合わせられている。図８に示されるように、位置決め部７６は、嵌合部５３に嵌め合わせられた状態において、規制面７６Ｂが嵌合部５３の貫通孔５３Ａを構成する内面と高さ方向ＺＣに微小な間隙を介して対向している。位置決め部７６は、嵌合部５３に嵌め合わせられた状態において、傾斜面７６Ａが嵌合部５３内に収容されている。
【００７３】
図８を参照して、外刃片４１およびコーム７２の位置関係について説明する。
コーム７２は、突起部７２Ｂの先端方向ＺＣ１の端面（以下、「先端面７２Ｃ」）において外刃片４１の基端方向ＺＣ２の端面（以下、「基端面４１Ｂ」）よりも先端方向ＺＣ１に位置している。コーム７２は、先端面７２Ｃにおいて外刃片４１の先端方向ＺＣ１の端面（以下、「先端面４１Ａ」）よりも基端方向ＺＣ２に位置している。
【００７４】
コーム７２は、突起部７２Ｂの奥行外方向ＺＢ２の端部（以下、「頂部７２Ｄ」）において外刃片４１の基端面４１Ｂよりも僅かに基端方向ＺＣ２に位置している。コーム７２の先端面７２Ｃおよび突起部７２Ｂの頂部７２Ｄの高さ方向ＺＣの寸法（以下、「高さ寸法Ｌ１」）は、外刃片４１の先端面４１Ａおよび基端面４１Ｂの高さ方向ＺＣの寸法（以下、「厚さ寸法Ｌ２」）よりも小さい。
【００７５】
図９を参照して、コーム７２の動作について説明する。
図９（ａ）に示されるように、コーム７２は、頂部７２Ｄが肌ＳＫに対して倒れた状態の長髭ＢＬと肌ＳＫとの間に挿入される。これにより、図９（ｂ）に示されるように、長髭ＢＬは、頂部７２Ｄに乗り上げる。そして、コーム７２の移動にともない長髭ＢＬがコーム７２の表面に沿って移動する。これにより、長髭ＢＬは、立ち上げられる。そして、図９（ｃ）に示されるように、長髭ＢＬは、立ち上げられた状態でスリット孔７３に導入される。
【００７６】
図７、図１０、および図１１を参照して、電気かみそり１の作用について説明する。
まず、図１０を参照して、仮想スリット刃ブロック２００の構成について説明する。
仮想スリット刃ブロック２００は、スリット外刃２１０、スリット内刃２２０、およびコーム部品２３０を有する。スリット外刃２１０は、複数の外刃片２１１を有する。スリット外刃２１０は、スリット外刃４０と同様の形状を有する。スリット内刃２２０は、複数の内刃片２２１を有する。スリット内刃２２０は、スリット内刃１００と同様の形状を有する。
【００７７】
コーム部品２３０は、複数のコーム２３１を有する。コーム２３１の頂部２３２は、スリット内刃２２０の内刃片２２１よりも基端方向ＺＣ２に位置している。コーム部品２３０は、コーム部品２３０の先端面２３３および頂部２３２の高さ方向ＺＣの高さ寸法ＬＸ１がスリット外刃２１０の外刃片２１１の厚さ寸法ＬＸ２よりも大きい。
【００７８】
このような構成により、電気かみそりの使用時において、コーム２３１は、使用者の肌ＳＫに対して倒れた長髭ＢＬの先端部に接触する。このため、コーム２３１は、長髭ＢＬの先端部のみを立ち上げる。これにより、長髭ＢＬは、コーム２３１のスリット孔（図示略）を介して根元部分が肌ＳＫから倒れた状態でスリット外刃２１０内に導入される。このため、長髭ＢＬは、根元部分が肌ＳＫから倒れた状態で外刃片２１１および内刃片２２１により切除される。したがって、仮想スリット刃ブロック２００により切除された長髭ＢＬは未だに長い。
【００７９】
これに対して、本実施形態のスリット刃ブロック３０は、コーム７２の高さ寸法Ｌ１が仮想スリット刃ブロック２００におけるコーム部品２３０の高さ寸法ＬＸ１よりも小さい。また、スリット刃ブロック３０は、コーム７２の先端面７２Ｃが外刃片４１の基端面４１Ｂよりも先端方向ＺＣ１に位置している。
【００８０】
これにより、図１０に示されるように、コーム部品６０のコーム７２の頂部７２Ｄがコーム２３１の頂部２３２よりも肌ＳＫに近くなる。このため、コーム７２は、コーム２３１よりも長髭ＢＬのより根元部分に接触する。このため、コーム７２は、長髭ＢＬの根元部分を立ち上げる。これにより、長髭ＢＬは、コーム７２のスリット孔７３（図３参照）を介して根元部分が立ち上がった状態でスリット外刃４０内に導入される。このため、長髭ＢＬは、根元部分が立ち上がった状態で外刃片４１および内刃片１０２により切除される。したがって、スリット刃ブロック３０により切除された長髭ＢＬの長さは、仮想スリット刃ブロック２００により切除された長髭ＢＬの長さよりも短くなる。そして、スリット刃ブロック３０により切除された長髭ＢＬは立ち上がった状態が維持されるため、第１ネット刃２２（図１参照）に導入されやすくなる。
【００８１】
また、外刃片４１の厚さ寸法Ｌ２は、電気かみそり１の使用時に肌ＳＫが外刃片４１および内刃片１０２の間に侵入することを抑制するのに十分な大きさに設定されている。このため、電気かみそり１の使用時において、外刃片４１の基端面４１Ｂよりも基端方向ＺＣ２側に肌ＳＫが位置しない。このため、コームの先端面が外刃片の基端面よりも基端方向ＺＣ２側にあると仮定したとき、コームは肌ＳＫから離れた状態となるため、肌ＳＫに対して倒れた長髭ＢＬを立ち上げることが困難となる。
【００８２】
これに対して、本実施形態のスリット刃ブロック３０は、コーム７２の先端面７２Ｃが外刃片４１の基端面４１Ｂよりも先端方向ＺＣ１側に位置している。このため、電気かみそり１の使用時においてコーム７２の先端面７２Ｃが肌ＳＫに接触する。したがって、コーム７２は、肌ＳＫに対して倒れた長髭ＢＬを立ち上げることが可能となる。
【００８３】
加えて、コーム７２の先端面７２Ｃは、スリット外刃４０の外刃片４１の先端面４１Ａよりも基端方向ＺＣ２に位置している。これにより、電気かみそり１の使用時においてコーム７２における奥行内方向ＺＢ１の先端部となるコーム７２の角部７２Ｅが肌ＳＫに接触することが抑制される。このため、電気かみそり１の使用時において肌当たりの感覚の悪化が抑制される。
【００８４】
また、図７に示されるように、コーム部品６０の高さ方向ＺＣの寸法は、スリット外刃４０の各溶着固定部５４，５５の高さ方向ＺＣの寸法よりも小さい。これにより、コーム部品６０の高さ方向ＺＣの寸法よりも大きい高さ方向ＺＣの寸法を有するコーム部品と比較して、コーム部品６０の剛性が低下する。このため、電気かみそり１の使用時にコーム７２を介してコーム支持壁７０に外力が加えられたときのコーム支持壁７０の変形量が多くなるおそれがある。
【００８５】
これに対して、本実施形態の電気かみそり１は、以下のコーム部品６０およびスリット外刃４０の結合構成を有する。すなわち、スリット外刃４０の第１爪片５１がコーム部品６０の第１収容部７４に収容されている。スリット外刃４０の第２爪片５２がコーム部品６０の第２収容部７５に収容されている。スリット外刃４０の嵌合部５３がコーム部品６０の位置決め部７６に嵌め合わせられている。
【００８６】
これら結合構成により、コーム部品６０のコーム支持壁７０が外力により奥行外方向ＺＢ２に変形する力がコーム支持壁７０に作用したとき、第１爪片５１および第１収容部７４が接触する。また第２爪片５２および第２収容部７５が接触する。これにより、コーム支持壁７０が奥行外方向ＺＢ２に変形することが抑制される。
【００８７】
加えて、スリット刃ブロック３０は、複数の第１爪片５１が幅方向ＺＡに離間して形成された構成、および複数の第１収容部７４が幅方向ＺＡに離間して形成された構成を有する。このため、コーム支持壁７０の幅方向ＺＡの広い範囲にわたりコーム支持壁７０が奥行外方向ＺＢ２に変形することが抑制される。
【００８８】
また、コーム部品６０のコーム支持壁７０が外力により基端方向ＺＣ２に変形する力がコーム支持壁７０に作用したとき、コーム支持壁７０の規制面７６Ｂが嵌合部５３に接触する。これにより、コーム支持壁７０が基端方向ＺＣ２に変形することが抑制される。
【００８９】
加えて、スリット刃ブロック３０は、複数の嵌合部５３が幅方向ＺＡに離間して形成された構成、および複数の位置決め部７６が幅方向ＺＡに離間して形成された構成を有する。このため、コーム支持壁７０の幅方向ＺＡの広い範囲にわたりコーム支持壁７０が基端方向ＺＣ２に変形することが抑制される。
【００９０】
このように、コーム支持壁７０の奥行外方向ＺＢ２への変形が抑制されるため、コーム７２がコーム支持壁７０の変形にともない奥行外方向ＺＢ２に倒れることが抑制される。これにより、コーム７２の頂部７２Ｄが肌ＳＫから離れることが抑制されるため、コーム７２は、長髭ＢＬを根元部分から立ち上げることができる。
【００９１】
また、コーム支持壁７０の基端方向ＺＣ２への変形が抑制されるため、コーム７２がコーム支持壁７０の変形にともない基端方向ＺＣ２に移動することが抑制される。これにより、コーム支持壁７０の撓みにより例えば幅方向ＺＡの中央部分のコーム７２が肌ＳＫから離れることが抑制される。このため、複数のコーム７２のうち長髭ＢＬの根元部分を立ち上げる機能が低下するものが発生することを抑制することができる。
【００９２】
本実施形態の電気かみそり１は以下の効果を奏する。
（１）コーム７２の先端面７２Ｃは、スリット外刃４０の外刃片４１の基端面４１Ｂよりも先端方向ＺＣ１側、かつ外刃片４１の先端面４１Ａよりも基端方向ＺＣ２側に位置している。コーム７２の頂部７２Ｄは、外刃片４１の基端面４１Ｂよりも基端方向ＺＣ２側に位置している。コーム７２の高さ寸法Ｌ１は、外刃片４１の厚さ寸法Ｌ２よりも小さい。この構成によれば、仮想スリット刃ブロック２００と比較して、電気かみそり１の使用時においてコーム７２の頂部７２Ｄが肌ＳＫに近くなる。このため、肌ＳＫに対して倒れた状態の長髭ＢＬをコーム７２により立ち上げた状態でスリット孔７３に導入することができる。したがって、電気かみそり１は、肌ＳＫに対して倒れた状態の長髭ＢＬを短く切除することができる。加えて、コーム部品６０がスリット外刃４０よりも先端方向ＺＣ１に突出することに起因して肌当たりの感覚が悪化することが抑制される。
【００９３】
（２）コーム７２は、幅方向ＺＡにおいて外刃片４１と同じ位置に配置されている。コーム７２の幅方向ＺＡの寸法ＨＡ１は、外刃片４１の幅方向ＺＡの寸法ＨＡ２と等しい。この構成によれば、スリット刃ブロック３０の平面視において、コーム部品６０のスリット孔７３の幅方向ＺＡの寸法ＨＡ２がスリット外刃４０のスリット孔４２の幅方向ＺＡの寸法ＨＢ２と等しくなる。このため、スリット孔７３の寸法ＨＡ２がスリット孔４２の寸法ＨＢ２よりも小さいと仮定した構成と比較して、コーム７２により立ち上げられた長髭ＢＬがスリット孔７３に導入しやすくなる。
【００９４】
（３）コーム部品６０は、位置決め部７６においてスリット外刃４０の嵌合部５３が嵌め合せられている。この構成によれば、コーム支持壁７０がスリット外刃４０に対して高さ方向ＺＣに移動することが規制される。このため、コーム支持壁７０の高さ方向ＺＣへの変形が抑制される。
【００９５】
（４）スリット外刃４０の各溶着固定部５４，５５および外刃継手９０の各溶着部９５，９６は、コーム部品６０よりも基端方向ＺＣ２に突出している。この構成によれば、スリット外刃４０および外刃継手９０の溶着作業が容易に行われる。また、各溶着固定部５４，５５および各溶着部９５，９６の溶着後の確認が目視により容易に行われる。
【００９６】
（５）コーム部品６０は、第１収容部７４においてスリット外刃４０の第１爪片５１が挿入されている。この構成によれば、コーム支持壁７０が奥行外方向ＺＢ２に変形させる力がコーム支持壁７０に作用したとき、第１爪片５１が第１収容部７４に接触する。このため、コーム支持壁７０の奥行外方向ＺＢ２への変形が抑制される。
【００９７】
（６）コーム部品６０は、第２収容部７５においてスリット外刃４０の第２爪片５２が挿入されている。この構成によれば、コーム支持壁７０が奥行外方向ＺＢ２に変形させる力がコーム支持壁７０に作用したとき、第２爪片５２が第２収容部７５に接触する。このため、コーム支持壁７０の奥行外方向ＺＢ２への変形が抑制される。
【００９８】
（７）スリット内刃１００の溶着固定部１０５および内刃継手１１０の溶着部１１４は、コーム部品６０の支持壁本体７１の基端面７１Ａよりも基端方向ＺＣ２に突出している。この構成によれば、スリット内刃１００および内刃継手１１０の溶着作業が容易に行われる。また、溶着固定部１０５および溶着部１１４の溶着後の確認が目視により容易に行われる。
【００９９】
（８）スリット外刃４０のスリット本体部５０は、段差部７７において空隙を介してコーム支持壁７０と対向している。この構成によれば、スリット外刃４０がコーム部品６０に挿入されるときにおいて、コーム支持壁７０が奥行外方向ＺＢ２に撓む場合、段差部７７によりコーム支持壁７０の幅方向ＺＡの両端部がスリット外刃４０の連結部４３に干渉することが抑制される。したがって、スリット外刃４０がコーム部品６０に結合された状態において、コーム支持壁７０が奥行方向ＺＢに撓むことが抑制される。
【０１００】
（変形例）
本スリット刃ブロックおよび本電気かみそりは、上記実施形態とは別の実施形態を含む。以下、本スリット刃ブロックおよび本電気かみそりのその他の実施形態としての上記実施形態の変形例を示す。なお以下の各変形例は、互いに組み合わせることもできる。
【０１０１】
・実施形態のスリット外刃４０において、第１爪片５１、第２爪片５２、および嵌合部５３の少なくとも１つを省略することもできる。
・実施形態のスリット外刃４０は、各スリット本体部５０において４個の第１爪片５１および１個の第２爪片５２を有する。ただし、第１爪片５１および第２爪片５２の数は実施形態に例示された内容に限られない。スリット外刃４０は、各スリット本体部５０において第１爪片５１を３個以下または５個以上有してもよい。スリット外刃４０は、各スリット本体部５０において第２爪片５２を複数有してもよい。
【０１０２】
・実施形態のスリット外刃４０は、各スリット本体部５０において４個の嵌合部５３を有する。ただし、嵌合部５３の数は実施形態に例示された内容に限られない。スリット外刃４０は、各スリット本体部５０において嵌合部５３を３個以下または５個以上有してもよい。
【０１０３】
・実施形態のスリット外刃４０は、４個の第１溶着固定部５４を有する。ただし、第１溶着固定部５４の個数は実施形態に例示された内容に限られない。スリット外刃４０は、第１溶着固定部５４を３個以下または５個以上有してもよい。なお、第２溶着固定部５５についても同様に変更することができる。
【０１０４】
・実施形態のコーム部品６０は、樹脂材料により形成されている。ただし、コーム部品６０の材料は実施形態に例示された内容に限られない。例えば、変形例のコーム部品６０は、金属材料により形成される。
【０１０５】
・実施形態のコーム部品６０において、各コーム支持壁７０において第１収容部７４、第２収容部７５、および位置決め部７６の少なくとも１つを省略することもできる。
・実施形態のコーム部品６０は、各コーム支持壁７０において４個の第１収容部７４および１個の第２収容部７５を有する。ただし、第１収容部７４および第２収容部７５の数は実施形態に例示された内容に限られない。コーム部品６０は、各コーム支持壁７０において第１収容部７４を３個以下または５個以上有してもよい。コーム部品６０は、各コーム支持壁７０において第２収容部７５を複数有してもよい。
【０１０６】
・実施形態のコーム部品６０は、各コーム支持壁７０においてコーム７２を有する。ただし、コーム部品６０の構成は実施形態に例示された内容に限られない。例えば、変形例のコーム部品６０は、コーム支持壁７０のいずれかのコーム７２が省略された構成を有する。
【０１０７】
・実施形態のコーム部品６０は、２個のコーム支持壁７０を有する。ただし、コーム部品６０の構成は実施形態に例示された内容に限られない。例えば、変形例のコーム部品６０は、コーム支持壁７０のいずれかが省略された構成を有する。
【０１０８】
・実施形態のコーム部品６０は、その高さ方向ＺＣの寸法がスリット外刃４０の高さ方向ＺＣの寸法よりも小さい。ただし、コーム部品６０の高さ方向ＺＣの寸法およびスリット外刃４０の高さ方向ＺＣの寸法の関係は実施形態に例示された内容に限られない。例えば、変形例のコーム部品６０は、その高さ方向ＺＣの寸法がスリット外刃４０の高さ方向ＺＣの寸法よりも大きい。
【０１０９】
・実施形態の外刃継手９０において、突起部９３および収容穴９４の少なくとも一方を省略することもできる。
・実施形態の外刃継手９０は、４個の第１溶着部９５を有する。ただし、第１溶着部９５の個数は実施形態に例示された内容に限られない。外刃継手９０は、第１溶着部９５を１〜３個または５個以上有してもよい。なお、第２溶着部９６についても同様に変更することができる。
【０１１０】
・実施形態のスリット刃ブロック３０は、スリット外刃４０が第１爪片５１を有し、コーム部品６０が第１収容部７４を有する構成を有する。ただし、スリット刃ブロック３０の構成は実施形態に例示された内容に限られない。例えば、変形例のスリット刃ブロック３０は、スリット外刃４０が第１収容部７４を有し、コーム部品６０が第１爪片５１を有する構成を有する。なお、スリット外刃４０の第２爪片５２およびコーム部品６０の第２収容部７５についても同様に変更することができる。
【０１１１】
・実施形態のスリット刃ブロック３０は、スリット外刃４０が嵌合部５３を有し、コーム部品６０が位置決め部７６を有する構成を有する。ただし、スリット刃ブロック３０の構成は実施形態に例示された内容に限られない。例えば、変形例のスリット刃ブロック３０は、スリット外刃４０が位置決め部７６を有し、コーム部品６０が嵌合部５３を有する構成を有する。
【０１１２】
・実施形態のスリット刃ブロック３０は、スリット外刃４０の各溶着固定部５４，５５および外刃継手９０の各溶着部９５，９６がヒートシール加工により溶着される。ただし、スリット外刃４０および外刃継手９０の固定構造は実施形態に例示された内容に限られない。例えば、変形例のスリット刃ブロック３０は、スリット外刃４０および外刃継手９０が接着により固定される。要するに、スリット外刃４０および外刃継手９０が固定可能な構成であれば、ヒートシール加工に限らず、他の固定方法を用いることができる。
【０１１３】
・実施形態のスリット刃ブロック３０は、コーム７２の幅方向ＺＡの寸法ＨＡ１は、外刃片４１の幅方向ＺＡの寸法ＨＡ２と等しい関係を有する。ただし、コーム７２および外刃片４１の寸法関係は実施形態に例示された内容に限られない。例えば、変形例のコーム７２の幅方向ＺＡの寸法ＨＡ１は、外刃片４１の幅方向ＺＡの寸法ＨＡ２よりも小さい。
【０１１４】
・実施形態のスリット刃ブロック３０は、コーム７２の先端面７２Ｃがスリット外刃４０の外刃片４１の先端面４１Ａよりも基端方向ＺＣ２に位置している。ただし、コーム７２および外刃片４１の位置関係は実施形態に例示された内容に限られない。例えば、変形例のスリット刃ブロック３０は、高さ方向ＺＣにおいてコーム７２の先端面７２Ｃと外刃片４１の先端面４１Ａとが同じ位置となる構成を有する。
【０１１５】
・実施形態のスリット刃ブロック３０は、コーム７２の高さ寸法Ｌ１が外刃片４１の厚さ寸法Ｌ２よりも小さい関係を有する。ただし、コーム７２および外刃片４１の寸法関係は実施形態に例示された内容に限られない。例えば、変形例のスリット刃ブロック３０は、コーム７２の高さ寸法Ｌ１が外刃片４１の厚さ寸法Ｌ２と等しい関係を有する。
【０１１６】
・実施形態のスリット刃ブロック３０は、コーム７２の先端面７２Ｃが外刃片４１の基端面４１Ｂよりも先端方向ＺＣ１に位置する構成を有する。ただし、コーム７２および外刃片４１の位置関係は実施形態に例示された内容に限られない。例えば、変形例のスリット刃ブロック３０は、高さ方向ＺＣにおいてコーム７２の先端面７２Ｃが外刃片４１の基端面４１Ｂと同じ位置となる構成を有する。
【０１１７】
・実施形態のスリット刃ブロック３０は、コーム７２の頂部７２Ｄが外刃片４１の基端面４１Ｂよりも僅かに基端方向ＺＣ２に位置する構成を有する。ただし、コーム７２の頂部７２Ｄの位置は実施形態に例示された内容に限られない。例えば、変形例のスリット刃ブロック３０は、コーム７２の頂部７２Ｄが外刃片４１の基端面４１Ｂと高さ方向ＺＣに同じ位置または基端面４１Ｂよりも先端方向ＺＣ１に位置する構成を有する。
【０１１８】
・実施形態のスリット刃ブロック３０は、スリット内刃１００がスリット外刃４０に対して往復運動する往復動式の構成を有する。ただし、スリット刃ブロック３０の構成は実施形態に例示された内容に限られない。例えば、変形例のスリット刃ブロック３０は、スリット内刃１００がスリット外刃４０に対して回転する回転式の構成を有する。
【０１１９】
・実施形態の刃ユニット２０は、２個の第１刃ブロック２１、２個の第２刃ブロック２４、およびスリット刃ブロック３０を有する。ただし、刃ユニット２０の構成は実施形態に例示された内容に限られない。例えば、変形例の刃ユニット２０は、第１刃ブロック２１および第２刃ブロック２４の少なくとも一方を有していない。また、別の変形例の刃ユニット２０は、１個の第１刃ブロック２１および１個の第２刃ブロック２４、およびスリット刃ブロック３０を有する。また、さらに別の変形例の刃ユニット２０は、１個の第１刃ブロック２１および１個の第２刃ブロック２４の一方、およびスリット刃ブロック３０を有する。
【０１２０】
・実施形態の電気かみそり１は、第１内刃２３および第２内刃２６を第１ネット刃２２および第２ネット刃２５に対して往復運動させ、スリット内刃１００をスリット外刃４０に対して往復運動させる往復動式電気かみそりの形態を有する。ただし、電気かみそり１の構成は実施形態に例示された内容に限られない。例えば、変形例の電気かみそり１は、各内刃２３，２６を各ネット刃２２，２５に対して回転運動させ、スリット内刃１００をスリット外刃４０に対して回転運動させる回転式電気かみそりの形態を有する。
【符号の説明】
【０１２１】
１    ：電気かみそり
３０  ：スリット刃ブロック
４０  ：スリット外刃
４１  ：外刃片
４１Ａ：先端面
４１Ｂ：基端面
７２  ：コーム
７２Ｂ：突起部
７２Ｃ：先端面
７２Ｄ：頂部
１００：スリット内刃
１０２：内刃片
【図１】
0006323589.tif 000002
【図２】
0006323589.tif 000003
【図３】
0006323589.tif 000004
【図４】
0006323589.tif 000005
【図５】
0006323589.tif 000006
【図６】
0006323589.tif 000007
【図７】
0006323589.tif 000008
【図８】
0006323589.tif 000009
【図９】
0006323589.tif 000010
【図１０】
0006323589.tif 000011
【図１１】
0006323589.tif 000012
【図１２】
0006323589.tif 000013